(57)【特許請求の範囲】
【請求項１】
柔軟性と耐熱性を有する素材で作ったティーバッグ絞り容器において、容器の内周面と容器の底の面を曲面で結び、ティーバッグを縦に収納出来る深さのティーバッグ絞り容器。
【請求項２】
容器の内面に突部を設けた請求項１に記載のティーバッグ絞り容器。
【発明の詳細な説明】
【技術分野】
【０００１】
本発明は、紅茶や緑茶等のティーバッグの受け皿を兼ねた絞り容器に関するものである。
【背景技術】
【０００２】
従来、ティーバッグでお茶を抽出した後、糸の付いたティーバッグは糸を引き上げ、糸の付いていないティーバッグはスプーン等を使ってすくい上げたり、指で直接摘まんだりして取り出し、その後スプーンにのせたティーバッグを指でスプーンに押しつけたり、指でつまんで直に絞っていたが、熱くて火傷しそうになっていた。又、絞らずにそのまま捨てるとティーバッグ中のお茶の水分がポタポタとまわりに滴り落ちてテーブルやごみ箱がべとべとに汚れていた。
【０００３】
紅茶や緑茶その他、茶葉をポットに入れ熱湯を注いでお茶を作る方法は昔からあるので、茶葉を濾す器具は大小、形もさまざま市販されている。しかしティーバッグのお茶の場合は茶葉を濾す役目はティーバッグがしているので濾す器具は必要ないが、ティーバッグをカップや茶碗の上に持ち上げて自然に水分が切れるまで待つのは時間がかかるので、お茶がまだバッグの中に十分に残っている状態のままティーバッグを捨てている。ティーバッグの方が手軽なので今や広く一般的に使用されているが、熱いティーバッグを手軽に安全に絞るものがないので必然的にお茶を最後まで使い切らないで捨ててしまっている。お茶の最後の一番濃い成分を捨ててしまうのはもったいないし、絞っていないティーバッグを捨てるのは水分の多いゴミを出していることになるので環境面でもよくない。
過去の特許・実用新案を調べるとこの点に注目し解決しようとしているものは若干出願されているが硬い金属等の素材で作るトングがほとんどである。トングは金属の面で物を挟んで絞るようになっているため挟んだ物の感覚が指や手に直接伝わらないので微妙な調節ができない。熱に強く、熱を伝えない柔軟性をもつ素材でできた容器の場合、容器に入れたティーバッグを器ごと手で絞るので感覚が指や手に伝わるので、絞る箇所や強弱の微調節が可能になり、絞りすぎたり絞り足らなかったり、袋を破いたりすることが少なくなる。そのような熱い物を器ごと手で絞るための受け皿容器は類似品が全く見当たらない。
【先行技術文献】
【特許文献】
【０００４】
【特許文献１】実開昭５４‐１２４７８４号
【特許文献２】実開昭４８‐６３１７８号
【特許文献３】実開昭５８‐１６９８３３号
【特許文献４】特開２００３‐１６９７３９号
【特許文献５】特開２００３‐１６９７４０号
【特許文献６】実開昭５６−７３４７３号
【特許文献７】実開昭５９−１０１７８６号
【特許文献８】実用新案登録３１５５９７７号
【発明の概要】
【発明が解決しようとする課題】
【０００５】
解決しようとする問題点は、お茶を抽出した後の熱い水分で膨れた紅茶や緑茶等のティーバッグ中の残留成分を火傷することなく絞り、最後まで無駄なく飲用できるようにすることである。
【課題を解決するための手段】
【０００６】
本発明は、柔軟性と耐熱性を有する素材で作ったティーバッグ絞り容器において、容器の内周面と容器の底の面を曲面で結び、ティーバッグを縦に収納出来る深さのティーバッグ絞り容器である。
更に、本発明は、容器の内面に突部を設けたティーバッグ絞り容器である。
【発明の効果】
【０００７】
本発明のティーバッグ絞り容器には、ティーバッグを縦に収納出来る深さがあるので、ティーバッグの水分を含んで膨らんでいる部分が容器の底の部分に収納される。そして、容器の内周面と容器の底の面がなだらかな曲面で結ばれているので、ティーバッグ絞り容器を絞るときは、容器の内周面と容器の底の面がティーバッグの水分を含んで膨らんでいる部分に密着するので、効率よくティーバッグを絞ることができる。
ティーバッグを容器ごと絞るようにすると、お茶を抽出した後の熱い水分で膨れたティーバッグ中の残留成分を安全でしかも清潔に絞り取れるので、お茶を最後まで無駄なく飲用できる。又、ティーバッグを絞って捨てるので水分がポタポタと落ちてテーブルやゴミ箱を汚すこともないので清潔であるし、水分の少ないゴミになるので環境にもやさしい。更に、砂糖やミルクを紅茶等に入れた後、かき混ぜる為に使ったスプーン、マドラー等を立てた状態に置ける受け皿容器として使用することができる。
柔軟性と耐熱性を有するシリコン樹脂等の素材でティーバッグ用の受け皿容器を作ると、熱い水分で膨れたティーバッグの一時置き場として使え、容器自体ごと手で絞ることが出来るので火傷することなく安全で清潔にお茶の成分を抽出でき最後まで無駄なくお茶を飲用できる。
【図面の簡単な説明】
【０００８】
【図１】ティーバッグ絞り容器の正面図である。
【図２】ティーバッグ絞り容器の平面図である。
【図３】ティーバッグ絞り容器の底面図である。
【図４】ティーバッグ絞り容器の斜面図である。
【図５】ティーバッグ絞り容器にティーバッグを入れた時の参考図である。
【図６】ティーバッグ絞り容器に入れたティーバッグを容器の上から手で絞っている時の参考図である。
【図７】容器の内面に放射状の突部のあるティーバッグ絞り容器の平面図である。
【図８】容器の内面に放射状の突部のあるティーバッグ絞り容器の斜面図である。
【図９】容器の内面に円形の突部のあるティーバッグ絞り容器の平面図である。
【図１０】容器の内面に円形の突部のあるティーバッグ絞り容器の斜面図である。
【図１１】図１のA部分断面図
【図１２】図１０のＢ部分断面図
【発明を実施するための形態】
【０００９】
以下、本発明の実施の形態１を図１〜図５、図１１に基づいて説明する。
【００１０】
図１〜図４に示すような花びら型の容器１をシリコン樹脂やシリコーンゴム等の柔軟性と耐熱性を有する素材で形成する。容器１の内周面１２は容器の口２から容器の底３に向かってテーパ状に形成する。図１１に示すように容器１の内周面１２と底の面１３は曲面１４で結ばれている。図５に示すように、この容器１に紅茶やお茶を抽出した後のティーバッグ４を入れる。図６に示すように、この容器１の側面を手で摘みティーバッグ４を絞り、ティーバッグ４に残っている水分を全て抽出する。よって、紅茶やお茶の成分を最後まで無駄にすることなく飲むことができる、また、ティーバッグ４は水分を含まないゴミになるので非常に環境に良い。更に、断熱性を有する容器１を使用すれば容器１の外側が熱くなることがなく、容器１を容易に持ったり、握ったりすることができる。
【００１１】
以下、本発明の実施の形態２、形態３を図７〜図１０に基づいて説明する。
【００１２】
実施の形態２は、図７〜図８に示すように花びら型の容器１の内面に放射状の突部８を設ける。実施の形態３は図９〜図１０に示すようにカップ状の容器１０の内面に複数の円形の突部１１を設ける。容器１、１０の内面に放射状の突部８や円形の突部１１を設けることで、ティーバッグ４を絞るときに、突部８、１１がティーバッグ４に接触するのでより効果的に水分を絞り出すことができる。
又、図１２に示すように、容器１０の外周面１５と底部３は曲面で結ばれていないが、内周面１２と底の面１３は曲面１４で結ばれている。
【符号の説明】
【００１３】
１．容器
２・容器の口
３．容器の底
４．ティーバッグ
５．ティーバッグの糸
６．カップ
７．手
８．放射状の突部
１０．カップ状の容器
１１．円形の突部
１２．内周面
１３．底の面
１４．曲面
１５．外周面
【要約】
【課題】お茶を抽出した後の熱い水分で膨れた紅茶や緑茶等のティーバッグを安全で清潔な方法で絞ることによりお茶を最後まで無駄なく飲用できるようにすることである。
【解決手段】柔軟性と耐熱性を有するシリコン樹脂等の素材でティーバッグ用の受け皿容器を作ると、熱い水分で膨れたティーバッグの一時置き場として使え、容器自体ごと手で絞ることが出来るので火傷することなく安全で清潔にお茶の成分を抽出でき最後まで無駄なくお茶を飲用できる。又、ティーバッグを絞って捨てるので水分の少ないゴミになり環境にもやさしい。
【選択図】  図６【図１】
0004690502.tif 000002
【図２】
0004690502.tif 000003
【図３】
0004690502.tif 000004
【図４】
0004690502.tif 000005
【図５】
0004690502.tif 000006
【図６】
0004690502.tif 000007
【図７】
0004690502.tif 000008
【図８】
0004690502.tif 000009
【図９】
0004690502.tif 000010
【図１０】
0004690502.tif 000011
【図１１】
0004690502.tif 000012
【図１２】
0004690502.tif 000013